(57)【要約】【課題】  伸縮感の片寄りをなくして使い心地と使い勝手を向上させることが可能な伸縮ベルトを提供すること。【解決手段】  長尺状の帯状ベルト本体と、上記帯状ベルト本体の一端に取り付けられ上記帯状ベルト本体の他端が差し込まれると共に帯状ベルト本体の他端の移動を許容する差込用バックルと、上記帯状ベルト本体の一端側であって上記差込用バックルの後方に取付用金具を介してその一端が取り付けられ使用時に腹部前面側に位置するように延長された帯状伸縮体と、上記伸縮体の他端に取り付けられ上記帯状ベルト本体の他端が貫通されて任意の場所で固定される固定用バックルと、を具備し、上記帯状ベルト本体を身体に巻いてその他端を上記固定用バックルを通して任意の場所にて固定すると共に上記差込用バックルを通してセットするようにしたもの。【選択図】  図１
2005248387.tif 000002
【特許請求の範囲】
【請求項１】
長尺状の帯状ベルト本体と、
上記帯状ベルト本体の一端に取り付けられ上記帯状ベルト本体の他端が挿通されると共に該帯状ベルト本体の他端の移動を許容する挿通用バックルと、
上記帯状ベルト本体の一端側の裏側において上記挿通用バックルの基端側に取付金具を介してその一端が取り付けられ使用時に腹部前面側に位置するように延長される帯状伸縮体と、
上記帯状伸縮体の他端に取り付けられ上記帯状ベルト本体の他端が挿通されて任意の場所で固定される固定用バックルと、
を具備し、
上記帯状ベルト本体を身体に巻いてその他端を上記固定用バックルを通して任意の場所にて固定すると共に上記挿通用バックルを通してセットするようにしたことを特徴とする伸縮ベルト。
【請求項２】
請求項１記載の伸縮ベルトにおいて、
上記固定用バックルの基端側には上記帯状ベルト本体の他端と上記帯状伸縮体の他端を押える押さえ部材が移動可能に取り付けられていることを特徴とする伸縮ベルト。
【請求項３】
請求項１又は請求項２記載の伸縮ベルトにおいて、
上記挿通用バックルの基端側位置の上記帯状ベルト本体には帯状ベルト本体の他端を押える押さえ部材が移動可能に取り付けられていることを特徴とする伸縮ベルト。
【請求項４】
請求項１〜請求項３の何れかに記載の伸縮ベルトにおいて、
上記帯状伸縮体の一端側は上記取付金具を介して上記帯状ベルト本体に対して着脱可能に構成されていると共にその他端は上記固定用バックルに対して着脱可能に取り付けられていることを特徴とする伸縮ベルト。
【請求項５】
請求項１〜請求項４の何れかに記載の伸縮ベルトにおいて、
上記帯状伸縮体は使用時において左右の腰骨から腹部前面側をカバーできる範囲内において任意の長さに設定されていることを特徴とする伸縮ベルト。
【請求項６】
請求項１〜請求項５の何れかに記載の伸縮ベルトにおいて、
上記帯状ベルト本体の一端側は上記帯状伸縮体を固定している取付金具のさらに基端側に設けられた取付金具を介して着脱可能に取り付けられていることを特徴とする伸縮ベルト。
【発明の詳細な説明】
【技術分野】
【０００１】
本発明は、ズボンに用いる伸縮ベルトに係り、特に、帯状伸縮体を腹部前面側に位置するように構成して伸縮感の片寄りをなくし、それによって、使い心地を向上させると共に、使い勝手を向上させることができるように工夫したものに関する。
【背景技術】
【０００２】
この種の伸縮ベルトを開示するものとしては、例えば、特許文献１、特許文献２、特許文献３、特許文献４、特許文献５等がある。
【０００３】
【特許文献１】特開平１０−２５１９１０号公報
【特許文献２】特開平１０−２８０２１９号公報
【特許文献３】特開平１１−８１０２０号公報
【特許文献４】特開２００３−３１３７１５号公報
【特許文献５】特開２０００−３４６１０号公報
【発明の開示】
【発明が解決しようとする課題】
【０００４】
上記従来の構成によると次のような問題があった。
すなわち、何れに開示されている伸縮ベルトも、伸縮する部分が左右の何れかの側に片寄っているために、使用時における伸縮感に片寄りがあり、使い心地が悪いという問題があった。
又、比較的構成が複雑であるために使い勝手が悪く、又、コスト的な問題もあった。
【０００５】
本発明はこのような点に基づいてなされたものでその目的とするところは、伸縮感の片寄りをなくして使い心地と使い勝手を向上させることが可能な伸縮ベルトを提供することにある。
【課題を解決するための手段】
【０００６】
上記目的を達成するべく本願発明の請求項１による伸縮ベルトは、長尺状の帯状ベルト本体と、上記帯状ベルト本体の一端に取り付けられ上記帯状ベルト本体の他端が挿通されると共に該帯状ベルト本体の他端の移動を許容する挿通用バックルと、上記帯状ベルト本体の一端側の裏側において上記挿通用バックルの基端側に取付金具を介してその一端が取り付けられ使用時に腹部前面側に位置するように延長される帯状伸縮体と、上記帯状伸縮体の他端に取り付けられ上記帯状ベルト本体の他端が挿通されて任意の場所で固定される固定用バックルと、を具備し、上記帯状ベルト本体を身体に巻いてその他端を上記固定用バックルを通して任意の場所にて固定すると共に上記挿通用バックルを通してセットするようにしたことを特徴とするものである。
又、請求項２による伸縮ベルトは、請求項１記載の伸縮ベルトにおいて、上記固定用バックルの基端側には上記帯状ベルト本体の他端と上記帯状伸縮体の他端を押える押さえ部材が移動可能に取り付けられていることを特徴とするものである。
又、請求項３による伸縮ベルトは、請求項１又は請求項２記載の伸縮ベルトにおいて、上記挿通用バックルの基端側位置の上記帯状ベルト本体には帯状ベルト本体の他端を押える押さえ部材が移動可能に取り付けられていることを特徴とするものである。
又、請求項４による伸縮ベルトは、請求項１〜請求項３の何れかに記載の伸縮ベルトにおいて、上記帯状伸縮体の一端側は上記取付金具を介して上記帯状ベルト本体に対して着脱可能に構成されていると共にその他端は上記固定用バックルに対して着脱可能に取り付けられていることを特徴とするものである。
又、請求項５による伸縮ベルトは、請求項１〜請求項４の何れかに記載の伸縮ベルトにおいて、上記帯状伸縮体は使用時において左右の腰骨から腹部前面側をカバーできる範囲内において任意の長さに設定されていることを特徴とするものである。
又、請求項６による伸縮ベルトは、請求項１〜請求項５の何れかに記載の伸縮ベルトにおいて、上記帯状ベルト本体の一端側は上記帯状伸縮体を固定している取付金具のさらに基端側に設けられた取付金具を介して着脱可能に取り付けられていることを特徴とするものである。
【発明の効果】
【０００７】
以上述べたように、本願発明による伸縮ベルトによると、長尺状の帯状ベルト本体と、上記帯状ベルト本体の一端に取り付けられ上記帯状ベルト本体の他端が挿通されると共に該帯状ベルト本体の他端の移動を許容する挿通用バックルと、上記帯状ベルト本体の一端側の裏側において上記挿通用バックルの基端側に取付金具を介してその一端が取り付けられ使用時に腹部前面側に位置するように延長される帯状伸縮体と、上記帯状伸縮体の他端に取り付けられ上記帯状ベルト本体の他端が挿通されて任意の場所で固定される固定用バックルと、を具備し、上記帯状ベルト本体を身体に巻いてその他端を上記固定用バックルを通して任意の場所にて固定すると共に上記挿通用バックルを通してセットするように構成されているので、まず、帯状伸縮体が腹部前面側に配置されているので、伸縮感の片寄りがなく使い心地が向上するものである。又、使用する場合は、単に帯状ベルト本体の他端を固定用バックルと挿通用バックルに通すだけで良く、使い勝手も良好である。
又、固定用バックルの基端側に押え部材を移動可能に取り付けた場合には、帯状ベルト本体の他端及び帯状伸縮体の他端を適度に押えて、帯状ベルト本体の他端の移動動作を円滑なものとすることができる。
又、挿通用バックルの後方位置の上記帯状ベルト本体に押さえ部材を移動可能に取り付けた場合も同様の効果を得ることができる。
又、帯状伸縮体の一端側を上記帯状ベルト本体に対して着脱可能に構成すると共にその他端を上記固定用バックルに対して着脱可能に取り付けた場合には、帯状伸縮体を適宜取り外して交換することができる。
又、帯状伸縮体を使用時において左右の腰骨から腹部前面側をカバーできるような長さに設定した場合にはさらに効果的である。
又、ベルト本体の一端側を上記帯状伸縮体を固定している取付金具のさらに基端側に設けられた取付金具を介して着脱可能に取り付けるようにした場合には、帯状ベルト本体の一部、その裏側の帯状伸縮体、挿通用バックル、固定用バックルからなる部分がユニット化されて着脱可能な部分となる。
【発明を実施するための最良の形態】
【０００８】
以下、図１乃至図５を参照して本発明の第１の実施の形態を説明する。図１は本実施の形態による伸縮ベルトの斜視図であり、図２は使用時における同上の斜視図、図３は同上の要部の斜視図、図４は同上の使用時における要部の斜視図、図５は同上の要部の背面図である。
まず、長尺状であって皮製の帯状ベルト本体１があり、この帯状ベルト本体１の一端１ａには挿通用バックル３が着脱可能に取り付けられている。この挿通用バックル３は金属製であって、貫通部５と、該貫通部５の図中左側に設けられた着脱部７とから構成されている。上記着脱部７は固定用金具９をピン１０を中心にして回動可能に備えていて、上記帯状ベルト本体１の一端１ａを差し込んで上記固定用金具９を回動させることにより固定するようになっている。又、貫通部５は帯状ベルト本体１の他端１ｂが差し込まれて貫通するだけの部材であり、その際、帯状ベルト本体１の他端１ｂの移動を自由に許容するように構成されている。
【０００９】
上記帯状ベルト本体１の上記挿通用バックル３の後方には押さえ部材１１が移動可能に取り付けられている。この押さえ部材１１によって使用時に帯状ベルト本体１の他端１ｂを適度に押さえるものである。
【００１０】
上記帯状ベルト本体１の裏面側にはゴム製の帯状伸縮体１３が配置されている。上記帯状伸縮体１３の一端１３ａは取付金具１５を介して上記帯状ベルト本体１側に対して着脱可能に取り付けられている。上記取付金具１５は裏面側に固定用金具１７をピン１８を中心にして回動可能に備えている。そして、上記帯状伸縮体１３の一端１３ａを差し込んで上記固定用金具１７を回動させることにより固定するようになっている。
【００１１】
上記帯状ベルト本体１の上記取付金具１５の後方には別の取付金具１９が取り付けられている。この取付金具１９は固定用金具２１をピン２２を介して回動可能に備えている。上記帯状ベルト本体１の一端１ａ側はこの取付金具１９を介して分離可能に構成されている。すなわち、帯状ベルト本体１の一端１ａは上記取付金具１９に固定されていて、そこに後方の帯状ベルト本体１ｃが差し込まれていて、その状態で、固定用金具２１を回動させることにより固定されているものである。
【００１２】
上記帯状伸縮体１３の他端１３ｂには固定用バックル２３が連結されている。この固定用バックル２３は、固定部２５と、着脱部２７とを備えている。上記固定部２５は、中空状の固定部本体２５ａと、この固定部本体２５ａ内に移動可能に収容された固定用軸部材２５ｂと、上記固定部本体２５ａに形成され、上記固定用軸部材２５ｂの移動を許容する左右の溝２５ｃ、２５ｃとから構成されている。そして、固定用軸部材２５ｂを一方向に移動させた状態で帯状ベルト本体１の他端１ｂを差し込んで、上記固定用軸部材２５ｂを他方向に移動させることにより固定するものである。
尚、図４において、固定用軸部材２５ｂが実線で示す状態にある場合は未だ帯状ベルト本体１の他端１ｂは固定されておらず、そこから仮想線で示す位置まで固定用軸部材２５ｂを移動させることにより固定することができるものである。
【００１３】
又、上記着脱部２７は固定用金具２９をピン３０を中心にして回動可能に備えていて、帯状伸縮体１３の他端１３ｂを差し込んで固定用金具２９を回動させることにより固定するものである。
【００１４】
又、上記帯状伸縮体１３の上記固定用バックル２３の後方には押さえ部材３１が移動可能に取り付けられている。この押さえ部材３１によって、上記帯状ベルト本体１の他端１ｂと帯状伸縮体１３の他端１３ｂを押さえるものである。
【００１５】
以上の構成を基にその作用を説明する。まず、帯状ベルト本体１を身体に巻いて、他端１ｂを固定用バックル２３内に通す。又、押え部材３１を通して、さらに、挿通用バックル５及び押え部材１１に通す。そして、適度に締めた状態で固定用バックル２３によって固定する。その状態を図２に示す。
【００１６】
上記状態において、使用時に腹部が膨らんだり凹んだりした場合には、帯状伸縮体１３が適度に伸縮してそのような膨らみや凹みに追従することになり、それによって、帯状ベルト本体１がずれ落ちるのを防止することができる。
【００１７】
又、その際、帯状ベルト本体１の他端１ｂは挿通用バックル５内を自由に移動しながら、上記膨らみや凹みに追従することになる。
【００１８】
以上本実施の構成によると次のような効果を奏することができる。
まず、帯状ベルト本体１の下方へのずれ落ちを防止することができる。これは、帯状伸縮体１３が適度に伸縮して常に身体に密着した状態を提供するからである。
又、上記帯状伸縮体１３は左右の腰部から腹部の前面をカバーするような領域に設置されているので、伸縮感の左右のバラツキがなく、良好な使い心地を提供することができる。
又、使用する場合には、帯状ベルト本体１の他端1ｂを固定用バックル２３、押さえ部材３１、挿通用バックル３、押さえ部材１１を通すと共に、固定用バックル２３にて固定するだけで良いので、良好な使い勝手を提供することができる。
又、帯状ベルト本体１の他端部は押さえ部材３１、１１によって適度に押えられるようになっているので、それによって、上記伸縮動作及びそれに伴う帯状ベルト本体の他端側の移動動作が円滑なものとなる。
又、この実施の形態の場合には、帯状ベルト本体１の一端１ａの部分、その裏側の帯状伸縮体１３、固定用バックル２３、挿通用バックル５の部分（図３に示す構成部分）がユニット化されていて着脱可能に構成されており、例えば、この部分のみを独立した商品として扱うことも可能であり、それを様々なベルトに取り付けて使用することができるものである。
【００１９】
次に、図６を参照して本発明の第２の実施の形態を説明する。この第２の実施の形態の場合には、帯状伸縮ベルト１３をさらに長尺なものとし、その関係で、帯状伸縮ベルト１３を押える為の押さえ部材５１、５３を新たに追加したものである。
その他の構成は前記第１の実施の形態の場合と同様であり、同一部分には同一符号を付して示しその説明は省略する。
【００２０】
尚、本発明は前記第１及び第２の実施の形態に限定されるものではない。
まず、帯状伸縮体の材質、長さ等についてはこれを特に限定するものではない。
又、押さえ部材１１に関しては、裏側の帯状伸縮体１３についても通すような構成でもよい。
帯状伸縮体の長さについては左右の腰骨から腹部前面側をカバーできる範囲内において、少なくとも腹部前面側をカバーできるような長さで適宜設定すればよい。
又、固定バックルにおける固定構造は様々なものが考えられる。
又、挿通用バックルに関してもその構成を限定するものではない。
【産業上の利用可能性】
【００２１】
本発明は、ズボンに用いる伸縮ベルトに係り、特に、帯状伸縮体を腹部前面部に配置させることにより、伸縮感の片寄りをなくし、それによって、使い心地や使い勝手を向上させるように工夫したものであり、腹部における圧迫感をなくした状態でずれ落ち防止を図りたい場合に好適である。
【図面の簡単な説明】
【００２２】
【図１】本発明の第１の実施の形態を示す図で、伸縮ベルトの斜視図である。
【図２】本発明の第１の実施の形態を示す図で、使用時における伸縮ベルトの斜視図である。
【図３】本発明の第１の実施の形態を示す図で、伸縮ベルトの一部の構成を示す斜視図である。
【図４】本発明の第１の実施の形態を示す図で、伸縮ベルトの要部の構成を示す側面図である。
【図５】本発明の第１の実施の形態を示す図で、伸縮ベルトの用部の構成を示す背面図である。
【図６】本発明の第２の実施の形態を示す図で、使用時における伸縮ベルトの斜視図である。
【符号の説明】
【００２３】
１  帯状ベルト本体
３  差込用バックル
１１  押さえ部材
１３  帯状伸縮体
１５  取付金具
１９  取付金具
２３  固定用バックル
３１  押さえ部材
【図１】
2005248387.tif 000003
【図２】
2005248387.tif 000004
【図３】
2005248387.tif 000005
【図４】
2005248387.tif 000006
【図５】
2005248387.tif 000007
【図６】
2005248387.tif 000008
【手続補正書】
【提出日】平成16年12月21日(2004.12.21)
【手続補正１】
【補正対象書類名】特許請求の範囲
【補正対象項目名】全文
【補正方法】変更
【補正の内容】
【特許請求の範囲】
【請求項１】
長尺状の帯状ベルト本体と、
上記帯状ベルト本体の一端に取り付けられ上記帯状ベルト本体の他端が挿通されると共に該帯状ベルト本体の他端の移動を許容する挿通用バックルと、
上記帯状ベルト本体の一端側の裏側において上記挿通用バックルの基端側に取付金具を介してその一端が取り付けられ使用時に腹部前面側に位置するように延長される帯状伸縮体と、
上記帯状伸縮体の他端に取り付けられ上記帯状ベルト本体の他端が挿通されて任意の場所で固定される固定用バックルと、
を具備し、
上記帯状ベルト本体を身体に巻いてその他端を上記固定用バックルを通して任意の場所にて固定すると共に上記挿通用バックルを通してセットするようにしたことを特徴とする伸縮ベルト。
【請求項２】
請求項１記載の伸縮ベルトにおいて、
上記固定用バックルの基端側には上記帯状ベルト本体の他端と上記帯状伸縮体の他端を押える押さえ部材が移動可能に取り付けられていることを特徴とする伸縮ベルト。
【請求項３】
請求項１又は請求項２記載の伸縮ベルトにおいて、
上記挿通用バックルの基端側位置の上記帯状ベルト本体には帯状ベルト本体の他端を押える押さえ部材が移動可能に取り付けられていることを特徴とする伸縮ベルト。
【請求項４】
請求項１〜請求項３の何れかに記載の伸縮ベルトにおいて、
上記帯状伸縮体の一端側は上記取付金具を介して上記帯状ベルト本体に対して着脱可能に構成されていると共にその他端は上記固定用バックルに対して着脱可能に取り付けられていることを特徴とする伸縮ベルト。
【請求項５】
請求項１〜請求項４の何れかに記載の伸縮ベルトにおいて、
上記帯状伸縮体は使用時において左右の腰骨から腹部前面側をカバーできる範囲内において任意の長さに設定されていることを特徴とする伸縮ベルト。
【請求項６】
請求項１〜請求項５の何れかに記載の伸縮ベルトにおいて、
上記帯状ベルト本体の一端側は上記帯状伸縮体を固定している取付金具のさらに基端側に設けられた取付金具を介して着脱可能に取り付けられていることを特徴とする伸縮ベルト。
【請求項７】
長尺状の帯状ベルト本体の一端に取付金具を介して連結される短尺ベルト、
上記短尺ベルトに取り付けられ上記帯状ベルト本体の他端が挿通されると共に該帯状ベルト本体の他端の移動を許容する挿通用バックルと、
上記短尺ベルトの裏側に配置され取付金具を介してその一端が取り付けられ使用時に腹部前面側に位置するように延長される帯状伸縮体と、
上記帯状伸縮体の他端に取り付けられ上記帯状ベルト本体の他端が挿通されて任意の場所で固定される固定用バックルと、
を具備したことを特徴とする伸縮ベルト用バックル具。
【手続補正２】
【補正対象書類名】明細書
【補正対象項目名】０００１
【補正方法】変更
【補正の内容】
【０００１】
本発明は、ズボンに用いる伸縮ベルトと伸縮ベルト用バックル具に係り、特に、帯状伸縮体を腹部前面側に位置するように構成して伸縮感の片寄りをなくし、それによって、使い心地を向上させると共に、使い勝手を向上させることができるように工夫したものに関する。
【手続補正３】
【補正対象書類名】明細書
【補正対象項目名】０００５
【補正方法】変更
【補正の内容】
【０００５】
本発明はこのような点に基づいてなされたものでその目的とするところは、伸縮感の片寄りをなくして使い心地と使い勝手を向上させることが可能な伸縮ベルトと伸縮ベルト用バックル具を提供することにある。
【手続補正４】
【補正対象書類名】明細書
【補正対象項目名】０００６
【補正方法】変更
【補正の内容】
【０００６】
上記目的を達成するべく本願発明の請求項１による伸縮ベルトは、長尺状の帯状ベルト本体と、上記帯状ベルト本体の一端に取り付けられ上記帯状ベルト本体の他端が挿通されると共に該帯状ベルト本体の他端の移動を許容する挿通用バックルと、上記帯状ベルト本体の一端側の裏側において上記挿通用バックルの基端側に取付金具を介してその一端が取り付けられ使用時に腹部前面側に位置するように延長される帯状伸縮体と、上記帯状伸縮体の他端に取り付けられ上記帯状ベルト本体の他端が挿通されて任意の場所で固定される固定用バックルと、を具備し、上記帯状ベルト本体を身体に巻いてその他端を上記固定用バックルを通して任意の場所にて固定すると共に上記挿通用バックルを通してセットするようにしたことを特徴とするものである。
又、請求項２による伸縮ベルトは、請求項１記載の伸縮ベルトにおいて、上記固定用バックルの基端側には上記帯状ベルト本体の他端と上記帯状伸縮体の他端を押える押さえ部材が移動可能に取り付けられていることを特徴とするものである。
又、請求項３による伸縮ベルトは、請求項１又は請求項２記載の伸縮ベルトにおいて、上記挿通用バックルの基端側位置の上記帯状ベルト本体には帯状ベルト本体の他端を押える押さえ部材が移動可能に取り付けられていることを特徴とするものである。
又、請求項４による伸縮ベルトは、請求項１〜請求項３の何れかに記載の伸縮ベルトにおいて、上記帯状伸縮体の一端側は上記取付金具を介して上記帯状ベルト本体に対して着脱可能に構成されていると共にその他端は上記固定用バックルに対して着脱可能に取り付けられていることを特徴とするものである。
又、請求項５による伸縮ベルトは、請求項１〜請求項４の何れかに記載の伸縮ベルトにおいて、上記帯状伸縮体は使用時において左右の腰骨から腹部前面側をカバーできる範囲内において任意の長さに設定されていることを特徴とするものである。
又、請求項６による伸縮ベルトは、請求項１〜請求項５の何れかに記載の伸縮ベルトにおいて、上記帯状ベルト本体の一端側は上記帯状伸縮体を固定している取付金具のさらに基端側に設けられた取付金具を介して着脱可能に取り付けられていることを特徴とするものである。
又、請求項７による伸縮ベルト用バックル具は、長尺状の帯状ベルト本体の一端に取付金具を介して連結される短尺ベルト、上記短尺ベルトに取り付けられ上記帯状ベルト本体の他端が挿通されると共に該帯状ベルト本体の他端の移動を許容する挿通用バックルと、上記短尺ベルトの裏側に配置され取付金具を介してその一端が取り付けられ使用時に腹部前面側に位置するように延長される帯状伸縮体と、上記帯状伸縮体の他端に取り付けられ上記帯状ベルト本体の他端が挿通されて任意の場所で固定される固定用バックルと、を具備したことを特徴とするものである。
【手続補正５】
【補正対象書類名】明細書
【補正対象項目名】０００７
【補正方法】変更
【補正の内容】
【０００７】
以上述べたように、本願発明による伸縮ベルトと伸縮ベルト用バックル具によると、長尺状の帯状ベルト本体と、上記帯状ベルト本体の一端に取り付けられ上記帯状ベルト本体の他端が挿通されると共に該帯状ベルト本体の他端の移動を許容する挿通用バックルと、上記帯状ベルト本体の一端側の裏側において上記挿通用バックルの基端側に取付金具を介してその一端が取り付けられ使用時に腹部前面側に位置するように延長される帯状伸縮体と、上記帯状伸縮体の他端に取り付けられ上記帯状ベルト本体の他端が挿通されて任意の場所で固定される固定用バックルと、を具備し、上記帯状ベルト本体を身体に巻いてその他端を上記固定用バックルを通して任意の場所にて固定すると共に上記挿通用バックルを通してセットするように構成されているので、まず、帯状伸縮体が腹部前面側に配置されているので、伸縮感の片寄りがなく使い心地が向上するものである。又、使用する場合は、単に帯状ベルト本体の他端を固定用バックルと挿通用バックルに通すだけで良く、使い勝手も良好である。
又、固定用バックルの基端側に押え部材を移動可能に取り付けた場合には、帯状ベルト本体の他端及び帯状伸縮体の他端を適度に押えて、帯状ベルト本体の他端の移動動作を円滑なものとすることができる。
又、挿通用バックルの後方位置の上記帯状ベルト本体に押さえ部材を移動可能に取り付けた場合も同様の効果を得ることができる。
又、帯状伸縮体の一端側を上記帯状ベルト本体に対して着脱可能に構成すると共にその他端を上記固定用バックルに対して着脱可能に取り付けた場合には、帯状伸縮体を適宜取り外して交換することができる。
又、帯状伸縮体を使用時において左右の腰骨から腹部前面側をカバーできるような長さに設定した場合にはさらに効果的である。
又、ベルト本体の一端側を上記帯状伸縮体を固定している取付金具のさらに基端側に設けられた取付金具を介して着脱可能に取り付けるようにした場合には、帯状ベルト本体の一部、その裏側の帯状伸縮体、挿通用バックル、固定用バックルからなる部分がユニット化されて着脱可能な部分となる。